(57)【要約】 【課題】  煩雑な操作を行わずとも、任意の場所で、簡易に、テレビ電話を行うことができるようにする。【解決手段】  親機１００のメモリ１０７には、制御内容と制御コードを対応付けたテーブルが、また、子機２００のメモリ２０９には、制御コードと赤外線信号を対応付けたテーブルが、メーカ毎に区分して、記憶されている。  テレビ電話の開始に先立ち、ユーザは、テレビ電話に用いるテレビのメーカ名と、画面モードおよびチャンネルを親機１００に初期設定する。メーカ名は、子機２００にも記憶される。テレビ電話が開始されると、親機１００は、初期設定した画面モードとチャンネルの制御コードを子機２００に送信する。子機２００は、当該メーカ名のテーブルを参照し、受信した制御コードに対応する赤外線信号を発信する。これにより、テレビの表示画面が、初期設定された表示画面に自動で設定される。【選択図】    図２
2005175552.tif 000002
【特許請求の範囲】
【請求項１】
テレビ電話モード時に使用すべきテレビ表示画面と当該テレビの区分を設定するための入力手段と、
前記入力手段から入力された設定情報を記憶する設定情報記憶手段と、
テレビ操作用リモコンから発信される赤外線信号とこれにより設定されるテレビ画面情報とを互いに対応付けたテーブルをテレビ区分毎に記憶するテーブル記憶手段と、
前記テレビ電話モード開始時に、前記設定情報に含まれたテレビ区分のテーブルを参照し、前記設定情報に含まれるテレビ表示画面に対応する赤外線信号を当該テーブルから抽出して発信する赤外線発信手段と、
を有することを特徴とするテレビ電話システム。
【請求項２】
請求項１において、
前記テレビ操作用リモコンから発信される赤外線信号を受信する赤外線受信手段と、
前記赤外線受信手段によって受信した赤外線信号からテレビ設定の履歴情報を記憶する履歴情報記憶手段と、
前記テレビ電話モード終了時に、前記履歴情報からテレビ電話モード開始直前のテレビ設定状態を検出する履歴検出手段と、
前記履歴検出手段によって検出したテレビ設定に対応する赤外線信号を、前記テレビ区分のテーブルから抽出して発信する赤外線発信手段と、
を有することを特徴とするテレビ電話システム。
【請求項３】
請求項１または２において、
テレビ電話モードによる呼制御を受けたとき、これを報知する出力を外部に発する報知手段と、
テレビ電話モードによる通話の拒否を入力するためのテレビ電話拒否入力手段と、
をさらに備え、
前記テレビ電話モードによる通話の拒否が入力されたとき、前記赤外線発信手段による赤外線信号の発信を中止させる、
ことを特徴とするテレビ電話システム。
【請求項４】
請求項３において、
前記テレビ電話モードによる通話の拒否が入力されたとき、その旨を通話元電話機に通知して当該通話元電話機との間でテレビ電話モードによる呼接続を確立すると共に、通話における信号処理をテレビ電話モードによる信号処理モードに設定し、且つ、前記テレビおよび自己の画像情報を取得するカメラ手段との間の画像情報の授受を中止する、
ことを特徴とするテレビ電話システム。
【請求項５】
請求項４において、
テレビ電話モードによる通話への移行を入力するためのテレビ電話移行入力手段をさらに備え、
前記テレビ電話モードによる通話への移行が入力されたとき、その旨を通話元電話機に通知すると共に、前記赤外線発信手段による赤外線信号の発信を行い、且つ、前記テレビおよび自己の画像情報を取得するカメラ手段との間の画像情報の授受を開始させる、
ことを特徴とするテレビ電話システム。
【請求項６】
請求項１または２において、
呼制御の際に通話先電話機からテレビ電話モードによる通話の拒否通知を受けたとき、これを報知する出力を外部に発すると共に、前記赤外線発信手段による赤外線信号の発信を中止させる、
ことを特徴とするテレビ電話システム。
【請求項７】
請求項６において、
前記テレビ電話モードによる通話の拒否通知を受けたとき、通話元電話機との間でテレビ電話モードによる呼接続を確立すると共に、通話における信号処理をテレビ電話モードによる信号処理モードに設定し、且つ、前記テレビおよび自己の画像情報を取得するカメラ手段との間の画像情報の授受を中止する、
ことを特徴とするテレビ電話システム。
【請求項８】
請求項１から７の何れかにおいて、
設定情報記憶手段は、テレビ電話モード時に使用すべきテレビ表示画面を設定するための設定情報を相手先電話機から受信したとき、これを自己の設定情報として記憶する、
ことを特徴とするテレビ電話システム。
【請求項９】
テレビ電話システムに用いられる親機であって、
子機と通信を行うための通信手段と、
テレビ電話モード時に使用すべきテレビ表示画面を設定するための入力手段と、
前記入力手段から入力された設定情報を記憶する設定情報記憶手段と、
テレビ電話モード開始時に前記設定情報記憶手段に記憶された設定情報を前記通信手段を介して前記子機に送信する設定情報送信手段と、
を有することを特徴とする親機。
【請求項１０】
請求項９において、
テレビ操作用リモコンから発信される赤外線信号を受信する赤外線受信手段と、
前記赤外線受信手段によって受信した赤外線信号からテレビ設定の履歴情報を記憶する履歴情報記憶手段と、
前記テレビ電話モード終了時に前記履歴情報からテレビ電話モード開始直前のテレビ設定状態を検出する履歴検出手段と、
前記履歴検出手段によって検出したテレビ設定に関する情報を前記通信手段を介して前記子機に送信する履歴情報送信手段と、
を有することを特徴とする親機。
【請求項１１】
テレビ電話システムに用いられる親機であって、
テレビ電話モード時に使用すべきテレビ表示画面と当該テレビの区分を設定するための入力手段と、
前記入力手段から入力された設定情報を記憶する設定情報記憶手段と、
テレビ操作用リモコンから発信される赤外線信号とこれにより設定されるテレビ画面情報とを互いに対応付けたテーブルをテレビ区分毎に記憶するテーブル記憶手段と、
前記テレビ電話モード開始時に、前記設定情報に含まれたテレビ区分のテーブルを参照し、前記設定情報に含まれるテレビ表示画面に対応する赤外線信号を当該テーブルから抽出して発信する赤外線発信手段と、
を有することを特徴とする親機。
【請求項１２】
請求項１１において、
前記テレビ操作用リモコンから発信される赤外線信号を受信する赤外線受信手段と、
前記赤外線受信手段によって受信した赤外線信号からテレビ設定の履歴情報を記憶する履歴情報記憶手段と、
前記テレビ電話モード終了時に、前記履歴情報からテレビ電話モード開始直前のテレビ設定状態を検出する履歴検出手段と、
前記履歴検出手段によって検出したテレビ設定に対応する赤外線信号を、前記テレビ区分のテーブルから抽出して発信する赤外線発信手段と、
を有することを特徴とする親機。
【請求項１３】
テレビ電話システムに用いられる子機であって、
親機と通信を行うための通信手段と、
テレビ操作用リモコンから発信される赤外線信号とこれにより設定されるテレビ画面情報とを互いに対応付けたテーブルをテレビ区分毎に記憶するテーブル記憶手段と、
前記通信手段を介して前記親機から受信したテレビ区分情報に応じて参照すべきテーブルを決定する参照テーブル決定手段と、
前記通信手段を介して前記親機からテレビ設定に関する情報を受信したとき、前記参照テーブル決定手段により決定したテーブルを参照し、前記テレビ設定情報に対応する赤外線信号を当該テーブルから抽出して発信する赤外線発信手段と、
を有することを特徴とする子機。
【請求項１４】
テレビ電話システムに用いられる子機であって、
テレビ電話モード時に使用すべきテレビ表示画面と当該テレビの区分を設定するための入力手段と、
前記入力手段から入力された設定情報を記憶する設定情報記憶手段と、
テレビ操作用リモコンから発信される赤外線信号とこれにより設定されるテレビ画面情報とを互いに対応付けたテーブルをテレビ区分毎に記憶するテーブル記憶手段と、
前記テレビ電話モード開始時に、前記設定情報に含まれたテレビ区分のテーブルを参照し、前記設定情報に含まれるテレビ表示画面に対応する赤外線信号を当該テーブルから抽出して発信する赤外線発信手段と、
を有することを特徴とする子機。
【請求項１５】
請求項１４において、
前記テレビ操作用リモコンから発信される赤外線信号を受信する赤外線受信手段と、
前記赤外線受信手段によって受信した赤外線信号からテレビ設定の履歴情報を記憶する履歴情報記憶手段と、
前記テレビ電話モード終了時に、前記履歴情報からテレビ電話モード開始直前のテレビ設定状態を検出する履歴検出手段と、
前記履歴検出手段によって検出したテレビ設定に対応する赤外線信号を、前記テレビ区分のテーブルから抽出して発信する赤外線発信手段と、
を有することを特徴とする子機。
【発明の詳細な説明】
【技術分野】
【０００１】
本発明は、テレビ電話システムおよびその親機、子機に関し、特に、テレビ電話を円滑に行う際に用いて好適なものである。
【背景技術】
【０００２】
通信網のブロードバンド化に伴い、テレビ電話システムが普及しつつある。テレビ電話システムを用いれば、通話相手の画像を見ながら通話ができるため、音声のみの通話に比べ、通話相手とのコミュニケーションを高めることができる。また、会議用に用いれば、資料等を提示でき、円滑な議事進行を図れる。
【０００３】
従来のテレビ電話システムにおいては、予め決められた場所に出向いて通話を行う必要があった。これに対し、以下の特許文献１には、任意の場所にて通話を行えるテレビ電話システムが提案されている。このシステムは、ＰＨＳと通信装置を組み合わせ、ＰＨＳで入力したデータを通信装置に送信して、テレビ電話の制御を行うものである。
【特許文献１】特開平１１−２３４６４２号公報
【発明の開示】
【発明が解決しようとする課題】
【０００４】
しかし、上記従来のシステムによれば、テレビ電話を開始する際に、ビデオモードへの切替えや、ビデオチャンネルの選択等、テレビ電話の開始に必要な各種設定を、ＰＨＳを介して、その都度行う必要がある。また、テレビ電話が終了したときにも、テレビをテレビ電話開始前の状態に戻すための設定を行う必要がある。これらの設定操作は、ユーザにとって煩雑である。
【０００５】
そこで、本発明は、このような煩雑な操作を行わずとも、任意の場所で、簡易に、テレビ電話を行うことができるテレビ電話システムとその親機および子機を提供する。
【課題を解決するための手段】
【０００６】
上記課題に鑑み、本発明は、以下に示す特徴を有する。
【０００７】
請求項１の発明は、テレビ電話システムにおいて、テレビ電話モード時に使用すべきテレビ表示画面と当該テレビの区分を設定するための入力手段と、前記入力手段から入力された設定情報を記憶する設定情報記憶手段と、テレビ操作用リモコンから発信される赤外線信号とこれにより設定されるテレビ画面情報とを互いに対応付けたテーブルをテレビ区分毎に記憶するテーブル記憶手段と、前記テレビ電話モード開始時に、前記設定情報に含まれたテレビ区分のテーブルを参照し、前記設定情報に含まれるテレビ表示画面に対応する赤外線信号を当該テーブルから抽出して発信する赤外線発信手段とを有することを特徴とする。
【０００８】
請求項２の発明は、請求項１に記載のテレビ電話システムにおいて、前記テレビ操作用リモコンから発信される赤外線信号を受信する赤外線受信手段と、前記赤外線受信手段によって受信した赤外線信号からテレビ設定の履歴情報を記憶する履歴情報記憶手段と、前記テレビ電話モード終了時に、前記履歴情報からテレビ電話モード開始直前のテレビ設定状態を検出する履歴検出手段と、前記履歴検出手段によって検出したテレビ設定に対応する赤外線信号を、前記テレビ区分のテーブルから抽出して発信する赤外線発信手段とを、さらに有することを特徴とする。
【０００９】
請求項３の発明は、請求項１または２に記載のテレビ電話システムにおいて、テレビ電話モードによる呼制御を受けたとき、これを報知する出力を外部に発する報知手段と、テレビ電話モードによる通話の拒否を入力するためのテレビ電話拒否入力手段とをさらに備え、前記テレビ電話モードによる通話の拒否が入力されたとき、前記赤外線発信手段による赤外線信号の発信を中止させる、ことを特徴とする。
【００１０】
請求項４の発明は、請求項３に記載のテレビ電話システムにおいて、前記テレビ電話モードによる通話の拒否が入力されたとき、その旨を通話元電話機に通知して当該通話元電話機との間でテレビ電話モードによる呼接続を確立すると共に、通話における信号処理をテレビ電話モードによる信号処理モードに設定し、且つ、前記テレビおよび自己の画像情報を取得するカメラ手段との間の画像情報の授受を中止する、ことを特徴とする。
【００１１】
請求項５の発明は、請求項４に記載のテレビ電話システムにおいて、テレビ電話モードによる通話への移行を入力するためのテレビ電話移行入力手段をさらに備え、前記テレビ電話モードによる通話への移行が入力されたとき、その旨を通話元電話機に通知すると共に、前記赤外線発信手段による赤外線信号の発信を行い、且つ、前記テレビおよび自己の画像情報を取得するカメラ手段との間の画像情報の授受を開始させる、ことを特徴とする。
【００１２】
請求項６の発明は、請求項１または２に記載のテレビ電話システムにおいて、呼制御の際に通話先電話機からテレビ電話モードによる通話の拒否通知を受けたとき、これを報知する出力を外部に発すると共に、前記赤外線発信手段による赤外線信号の発信を中止させる、ことを特徴とする。
【００１３】
請求項７の発明は、請求項６に記載のテレビ電話システムにおいて、前記テレビ電話モードによる通話の拒否通知を受けたとき、通話元電話機との間でテレビ電話モードによる呼接続を確立すると共に、通話における信号処理をテレビ電話モードによる信号処理モードに設定し、且つ、前記テレビおよび自己の画像情報を取得するカメラ手段との間の画像情報の授受を中止する、ことを特徴とする。
【００１４】
請求項８の発明は、請求項１から７の何れかに記載のテレビ電話システムにおいて、設定情報記憶手段は、テレビ電話モード時に使用すべきテレビ表示画面を設定するための設定情報を相手先電話機から受信したとき、これを自己の設定情報として記憶することを特徴とする。
【００１５】
請求項９の発明は、テレビ電話システムに用いられる親機であって、子機と通信を行うための通信手段と、テレビ電話モード時に使用すべきテレビ表示画面を設定するための入力手段と、前記入力手段から入力された設定情報を記憶する設定情報記憶手段と、テレビ電話モード開始時に前記設定情報記憶手段に記憶された設定情報を前記通信手段を介して前記子機に送信する設定情報送信手段とを有することを特徴とする。
【００１６】
請求項１０の発明は、請求項９に記載の親機において、テレビ操作用リモコンから発信される赤外線信号を受信する赤外線受信手段と、前記赤外線受信手段によって受信した赤外線信号からテレビ設定の履歴情報を記憶する履歴情報記憶手段と、前記テレビ電話モード終了時に前記履歴情報からテレビ電話モード開始直前のテレビ設定状態を検出する履歴検出手段と、前記履歴検出手段によって検出したテレビ設定に関する情報を前記通信手段を介して前記子機に送信する履歴情報送信手段とを有することを特徴とする。
【００１７】
請求項１１の発明は、テレビ電話システムに用いられる親機であって、テレビ電話モード時に使用すべきテレビ表示画面と当該テレビの区分を設定するための入力手段と、前記入力手段から入力された設定情報を記憶する設定情報記憶手段と、テレビ操作用リモコンから発信される赤外線信号とこれにより設定されるテレビ画面情報とを互いに対応付けたテーブルをテレビ区分毎に記憶するテーブル記憶手段と、前記テレビ電話モード開始時に、前記設定情報に含まれたテレビ区分のテーブルを参照し、前記設定情報に含まれるテレビ表示画面に対応する赤外線信号を当該テーブルから抽出して発信する赤外線発信手段とを有することを特徴とする。
【００１８】
請求項１２の発明は、請求項１１に記載の親機において、前記テレビ操作用リモコンから発信される赤外線信号を受信する赤外線受信手段と、前記赤外線受信手段によって受信した赤外線信号からテレビ設定の履歴情報を記憶する履歴情報記憶手段と、前記テレビ電話モード終了時に、前記履歴情報からテレビ電話モード開始直前のテレビ設定状態を検出する履歴検出手段と、前記履歴検出手段によって検出したテレビ設定に対応する赤外線信号を、前記テレビ区分のテーブルから抽出して発信する赤外線発信手段とを有することを特徴とする。
【００１９】
請求項１３の発明は、テレビ電話システムに用いられる子機であって、親機と通信を行うための通信手段と、テレビ操作用リモコンから発信される赤外線信号とこれにより設定されるテレビ画面情報とを互いに対応付けたテーブルをテレビ区分毎に記憶するテーブル記憶手段と、前記通信手段を介して前記親機から受信したテレビ区分情報に応じて参照すべきテーブルを決定する参照テーブル決定手段と、前記通信手段を介して前記親機からテレビ設定に関する情報を受信したとき、前記参照テーブル決定手段により決定されたテーブルを参照し、前記テレビ設定情報に対応する赤外線信号を当該テーブルから抽出して発信する赤外線発信手段とを有することを特徴とする。
【００２０】
請求項１４の発明は、テレビ電話システムに用いられる子機であって、テレビ電話モード時に使用すべきテレビ表示画面と当該テレビの区分を設定するための入力手段と、前記入力手段から入力された設定情報を記憶する設定情報記憶手段と、テレビ操作用リモコンから発信される赤外線信号とこれにより設定されるテレビ画面情報とを互いに対応付けたテーブルをテレビ区分毎に記憶するテーブル記憶手段と、前記テレビ電話モード開始時に、前記設定情報に含まれたテレビ区分のテーブルを参照し、前記設定情報に含まれるテレビ表示画面に対応する赤外線信号を当該テーブルから抽出して発信する赤外線発信手段とを有することを特徴とする。
【００２１】
請求項１５の発明は、請求項１４に記載の子機において、前記テレビ操作用リモコンから発信される赤外線信号を受信する赤外線受信手段と、前記赤外線受信手段によって受信した赤外線信号からテレビ設定の履歴情報を記憶する履歴情報記憶手段と、前記テレビ電話モード終了時に、前記履歴情報からテレビ電話モード開始直前のテレビ設定状態を検出する履歴検出手段と、前記履歴検出手段によって検出したテレビ設定に対応する赤外線信号を、前記テレビ区分のテーブルから抽出して発信する赤外線発信手段とを有することを特徴とする。
【００２２】
なお、上記請求項１から８におけるテレビ電話システムは、親機の他に子機を含む形態の他、子機を含まず親機のみを含む形態をも含み得るものものである。
【００２３】
本発明の特徴は、以下に示す実施の形態の説明により更に明らかとなろう。
【００２４】
ただし、以下の実施の形態は、あくまでも、本発明の一つの実施形態であって、本発明ないし各構成要件の用語の意義は、以下の実施の形態に記載されたものに制限されるものではない。
【００２５】
なお、請求項における「テレビ区分」は実施の形態では「メーカ名」として記載されている。
【発明の効果】
【００２６】
請求項１に記載の発明によれば、テレビ電話モードの開始時にテレビをテレビ電話用の表示画面に自動的に切り換えることができる。また、請求項２に記載の発明によれば、テレビ電話モードの終了時にテレビをテレビ電話開始直前の表示画面に自動的に切り換えることができる。このように、請求項１および２に記載の発明によれば、煩雑な操作を行わずとも、簡易に、テレビ電話を行うことができるテレビ電話システムを提供できる。
【００２７】
加えて、請求項３ないし７の発明によれば、簡便且つ簡易な処理により、テレビ電話モードの拒否およびテレビ電話モードへの再復帰を行うことができる。さらに、請求項８の発明によれば、テレビ電話モードにおけるテレビ画面の表示設定を、発呼者等から遠隔制御することができ、機器設定に不慣れな人においても、本テレビ電話システムを使い勝手の良いものとできるとの効果を奏し得る。
【００２８】
なお、本発明に係るテレビ電話システムが親機と子機を含むものである場合、本発明の実現に必要な機能を、請求項９ないし１５に記載のように、親機または子機の何れかに分担させるようにすることができる。ここで、請求項１４および１５に記載のように、子機側に機能を負担させると、たとえば、テレビのある部屋毎に子機を個別に配置することにより、各部屋でテレビ電話を行えるようになる。
【００２９】
その他、本発明にて奏される作用効果は、以下に示す実施の形態の説明にてより、さらに明瞭に理解されることとなろう。
【発明を実施するための最良の形態】
【００３０】
以下、本発明の実施の形態につき図面を参照して説明する。
【００３１】
まず、図１に実施の形態に係るテレビ電話システムの構成を示す。
【００３２】
図示のとおり、本テレビ電話システムは、親機１００と、子機２００と、テレビ３００と、カメラ５００から構成されている。なお、ＴＶリモコン４００は、テレビ付属の専用リモコンである。
【００３３】
親機１００は、公衆網（インターネット網）に接続されている。また、テレビ３００およびカメラ５００と接続されている。かかる接続は、有線、無線の何れであっても良い。また、電源供給線等を利用したホームネットワークにより接続するようにしても良い。
【００３４】
親機１００と子機２００は無線通信可能となっている。かかる無線通信によって、音声データの他、テレビ電話に必要な各種データが送受信される。
【００３５】
子機２００は、テレビ３００に赤外線信号を発する赤外線発信素子を備えている。かかる赤外線信号によって、テレビ電話に必要なテレビ設定がなされる。さらに、子機２００は、ＴＶリモコン４００から発せられた赤外線信号を受信する赤外線受信素子を備えている。
【００３６】
テレビ３００は、通常モードにおいて、ユーザ所望のチャンネルのテレビ画像を表示する。チャンネル等の設定は、ＴＶリモコン４００を介してなされる。なお、かかる設定時に、ＴＶリモコン４００から発せられた赤外線信号は、子機２００においても同時に受信される。子機２００は受信した赤外線信号からテレビへの設定内容を検知する。そして、これを履歴情報としてメモリに格納する。
【００３７】
通話先との間でテレビ電話を行う場合（テレビ電話モード）、親機１００から子機２００にテレビ電話モードの設定指令が送信される。子機２００は、この指令に応じて、テレビ３００にテレビ電話モード設定用の赤外線信号を発する。ここで、子機２００から発せられる赤外線信号は、ＴＶリモコン４００からの赤外線信号に応じたものとなっている。これにより、テレビ３００の表示画面は、テレビ電話モード（設定チャンネル、等）に切り換えられる。
【００３８】
システムがテレビ電話モードにあるとき、通話先機器からの画像データは、親機１００からテレビ３００に送信される。このとき、親機１００は、テレビ電話モードとして設定されたチャンネルに画像データを供給するよう、テレビ３００に接続されている。これにより、テレビ３００の表示画面に通話先カメラで撮像された画像が表示される。
【００３９】
また、カメラ５００で撮像された画像データは、カメラ５００から親機１００に送信される。親機１００は受信した画像データを、インターネット網を介して通話先機器に送信する。これにより、通話先モニターにカメラ５００で撮像した画像が表示される。
【００４０】
インターネット網を介して受信した通話先機器からの音声データは、親機１００と子機２００との間で確立された無線通信路を介して、親機１００から子機２００に順次送信される。また、子機２００から入力された音声信号は、無線通信路を介して親機１００に送信され、順次、音声データに変換される。そして、インターネット網を介して、親機１００から通話先機器に送信される。これにより、通話先との通話が可能となる。
【００４１】
テレビ電話が終了すると、子機２００から赤外線信号が発せられ、テレビ３００がテレビ電話開始直前の状態に戻される。テレビ電話開始直前のテレビの設定状態は、子機２００に格納された履歴情報から検出される。子機２００は、検出したテレビ設定状態に応じた設定データを赤外線信号としてテレビ３００に送信する。これにより、テレビ３００は、テレビ電話開始直前の状態に戻される。
【実施例１】
【００４２】
図２に、親機１００と子機２００の構成例を示す。
【００４３】
図示の如く、親機１００は、アンテナ１０１、無線処理部１０２、信号処理部１０３、コーデック処理部１０４、信号処理部１０５、メイン処理部１０６、メモリ１０７、通信制御部１０８、データ入力部１０９、音声入力部１１０、音声出力部１１１、映像入力部１１２、映像出力部１１３から構成されている。
【００４４】
アンテナ１０１は、電波を介して信号を送受信する。無線処理部１０２は、Ｄ／Ａ変換処理や、利用する通信方式に応じた変・復調処理を行う。信号処理部１０３は、送受信データに対して誤り訂正符号の付加や誤り訂正処理等の信号処理を行う。コーデック処理部１０４は、音声・映像データに対してＡ／Ｄ変換、Ｄ／Ａ変換および符号化・復号化処理を行う。
【００４５】
メイン処理部１０６は、処理プログラムに従って各部を制御する。また、メモリ１０７を内蔵し、各部の制御の際に必要な各種データを格納する。かかるメモリ１０７には、たとえば、自己のＩＰアドレス、自己を識別するための無線用ＩＤ、無線通信先（子機２００）の無線用ＩＤ、および、テレビ電話の際に用いられるテレビモード制御テーブル（後述）等が記憶される。
【００４６】
通信制御部１０８は、インターネット網との接続における通信制御を行う。データ入力部１０９は、キー操作部を備え、たとえば、テレビ電話モードの設定や、通話先電話番号の入力等の際に使用される。
【００４７】
音声入力部１１０は、話者（ユーザ）の音声を入力するためマイクを備え、マイクから入力された音声信号を処理して音声データを生成・出力する。音声出力部１１１は、スピーカを備え、音声データを処理して音声信号を生成し、スピーカから音声を出力する。映像入力部１１２は、カメラ５００からの映像信号をコーデック処理部１０４に出力する。映像出力部１１３は、コーデック処理部１０４からの映像信号をテレビ３００に出力する。
【００４８】
図２に示す如く、子機２００は、アンテナ２０１、無線処理部２０２、赤外線発信素子２０３、赤外線受光素子２０４、赤外線処理部２０５、選択処理部２０６、信号処理部２０７、メイン処理部２０８、メモリ２０９、データ入力部２１２、音声入力部２１０、音声出力部２１１から構成されている。
【００４９】
アンテナ２０１は、電波を介して信号を送受する。無線処理部２０２は、Ｄ／Ａ、Ａ／Ｄ変換処理や、利用する通信方式に応じた変・復調処理等を行う。赤外線発信素子２０３は、赤外線信号を外部（テレビ３００）に発信する。赤外線受光素子２０４は、外部（ＴＶリモコン４００）からの赤外線信号を受信する。赤外線処理部２０５は、赤外線信号を発信する場合には、選択処理部２０６からの電気信号を赤外線信号に変換し赤外線発信素子２０３から発信させる。また、赤外線信号を受信する場合には、赤外線受光素子２０４にて受信した赤外線信号を電気信号に変換し選択処理部２０６に出力する。
【００５０】
選択処理部２０６は、メイン処理部２０８による制御に応じて、無線処理部２０２または赤外線処理部２０５の何れかを選択する。そして、選択した無線処理部２０２または赤外線処理部２０５との間でデータの授受を行う。信号処理部２０７は、選択処理部２０６との間で授受するデータに対し、誤り訂正符号の付加や誤り訂正処理等の処理を行う。
【００５１】
メイン処理部２０８は、処理プログラムに従って各部を制御する。また、メモリ２０９を内蔵し、各部の制御の際に必要な各種データを格納する。かかるメモリ２０９には、たとえば、自己のＩＰアドレス、自己を識別するための無線用ＩＤ、無線通信先（親機１００）の無線用ＩＤ、テレビ電話の際に用いられる赤外線信号制御テーブル（後述）、および、テレビの設定履歴（履歴情報）等が記憶される。
【００５２】
音声入力部２１０は、話者（ユーザ）の音声を入力するためマイクを備え、マイクから入力された音声信号を処理して音声データを生成・出力する。音声出力部２１１は、スピーカを備え、音声データを処理して音声信号を生成し、スピーカから音声を出力する。データ入力部２１２は、キー操作部を備え、たとえば、テレビ電話モード時の設定、通話先電話番号の入力や、各種コマンド等の入力の際に使用される。
【００５３】
次に、本システムの基本動作について説明する。
【００５４】
電話をかける際、データ入力部２１２から入力された通話先電話番号とモード識別情報（音声通話モード／テレビ電話モード）は、メイン処理部２０８を介して信号処理部２０７へ送られる。信号処理部２０７は、モード識別情報および通話先電話番号と、メイン処理部２０８を介してメモリ２０９から読み出した無線ＩＤにヘッダー情報や誤り訂正符号等を付加して通信用データを生成し、これを選択処理部２０６に出力する。ここで、通信用データは、親機１００との間の無線通信に利用される通信方式（無線通信用の規格に従うものであれば如何なる方式でもよい）に応じたものとされる。
【００５５】
選択処理部２０６は、入力された通信用データを無線処理部２０２へ出力する。無線処理部２０２は、利用する通信方式に応じた変調処理等を行った後、アンテナ２０１から、電波として通信用データを送出する。
【００５６】
かかる通信用データは、親機１００のアンテナ１０１を介して無線処理部１０２により受信される。無線処理部１０２は、受信した通信用データに対し、Ａ／Ｄ変換や利用する通信方式に応じた復調処理を行い、これを信号処理部１０３へ出力する。信号処理部１０３は、誤り訂正符号を用いて、通信用データから誤りのないモード識別情報および通話先電話番号と無線用ＩＤを抽出し、これをメイン処理部１０６へ出力する。
【００５７】
メイン処理部１０６は、供給された無線用ＩＤと、メモリ１０７に記憶されている自己の無線用ＩＤとを比較し、両者が一致したときに、通話先端末に対する呼制御を行う。他方、両者が一致しない場合には、その旨を通知する応答データを信号処理部１０３に供給し、無線処理部１０２を介して、子機２００に返信せしめる。
【００５８】
なお、子機２００のメイン処理部２０８は、かかる返信を親機１００から受信した場合の他、一定時間内に、親機１００から呼接続完了の応答がなかった場合に、親機１００との間の通信が不可能であると判別する。
【００５９】
呼制御において、親機１００のメイン処理部１０６は、子機２００から供給された通話先電話番号と、メモリ１０７に記憶されている自己のＩＰアドレス、サーバ（後述）のＩＰアドレス等を呼制御用データに組み込み、この呼制御用データにＵＤＰあるいはＴＣＰヘッダー、ＩＰヘッダー等を付加して、通信制御部１０８へ出力する。ここで、呼制御用データは、子機２００から供給されたモード識別情報（音声通話モード／テレビ電話モード）に従った形式とされる。すなわち、コーデックの方式を通話先機器と調整するための記述において、音声通話モードの場合には、音声に関する記述のみがなされ、テレビ電話モードの場合には、音声と映像に関する記述がなされる。
【００６０】
通信制御部１０８は、メイン処理部１０６から受け取った呼制御用データを用いて、たとえば、ＲＪ４５モジュラーインタフェース等の、インターネット網とのインタフェースを介して通話先端末との呼接続を行う。
【００６１】
なお、呼制御とは、インターネット上における通話先（着信者Ｂ）との通話経路の確立（たとえば、発信者Ａ所有の端末Ａが接続されているサーバ１が、着信者Ｂ所有の端末Ｂが接続されているサーバ２を探索して通信経路を確立し、端末Ａから送信される呼制御用データを、サーバ２を介して、端末Ｂに送信する）、通話先の居場所の探索（あらかじめ利用者の電話番号やユーザＩＤ等と通信先アドレス（たとえばＩＰアドレス）との対応を管理するサーバに問い合わせて、電話番号やユーザＩＤなどから通信先アドレス（たとえばＩＰアドレス）を特定する）、通話に利用する音声コーデックの決定等を行う制御のことであり、たとえば、ＳＩＰ、Ｈ．３２３、ＭＧＣＰ，ＭＥＧＡＣＯ等のプロトコルによって行われる。
【００６２】
かかる呼制御によって呼接続が完了すると、発信者端末―着信者端末間における通話が開始される。
【００６３】
なお、テレビ電話モードによる通話の場合には、テレビ３００の画面が切り替えられ、発信者側および着信者側の画像がテレビ３００に表示される。これについては、追って詳述する。
【００６４】
通話時に音声入力部２１０から入力された音声信号は、メイン処理部２０８にてＡ／Ｄ変換がなされ信号処理部２０７に出力される。信号処理部２０７は、Ａ／Ｄ変換された音声データに、利用する通信方式に応じたヘッダー情報や誤り訂正符号を付加して通信用音声データを生成し、これを選択処理部２０６へ出力する。選択処理部２０６は、受け取った通信用音声データを無線処理部２０２へ出力する。無線処理部２０２は、利用する通信方式に応じた変調処理等を行い、アンテナ２０１を介して、電波として通信用音声データを送出する。
【００６５】
通信用音声データは、親機１００のアンテナ１０１を介して無線処理部１０２により受信される。無線処理部１０２は、受信した通信用音声データに対し、Ａ／Ｄ変換や利用する通信方式に応じた復調処理を行い、これを信号処理部１０３へ出力する。信号処理部１０３は、誤り訂正符号を用いて、通信用音声データから誤りのない音声データを抽出し、これをコーデック処理部３０４へ出力する。
【００６６】
コーデック処理部３０４は、所定の音声コーデック方式（たとえば、ＰＤＣ、ＰＨＳ、等）に従って音声データを圧縮し、これを信号処理部１０５に出力する。なお、非圧縮のまま、音声データを信号処理部１０５に出力するようにしてもよい。信号処理部１０５は、受け取った音声データにヘッダー情報や誤り訂正符号を付加した後、これをメイン処理部１０６に出力する。
【００６７】
メイン処理部１０６は、通信用音声データを、インターネット上で送受信するためのデータ構造（たとえば、ＲＴＰヘッダー、ＵＤＰあるいはＴＣＰヘッダー、ＩＰヘッダー等の付与）に変換する。そして、これを通信制御部１０８を介してインターネット網に出力し、通話先端末に送信する。
【００６８】
通話先端末から受信した通信用音声データは、上記送信時とは逆の処理を辿ることにより、子機２００の音声出力部２１１から出力される。
【００６９】
通話が終了し、たとえば、着信者Ｂがオンフック（切断）すると、着信者Ｂ所有の端末Ｂから発信者Ａの親機１００に対し、切断通知（呼制御）が通知される。親機１００は、受信した切断通知を子機２００へ転送する。これにより、通信路が切断される。
【００７０】
図３（ａ）に、上記親機１００のメモリ１０７に記憶されるテレビモード制御テーブルの構成例を示す。図示の如く、テレビモード制御テーブルは、テレビ製造メーカ毎に区分されたテーブル群として構成されている。各テーブルには、制御コードと制御内容の対応関係が規定されている。各テーブルにおける制御コードと制御内容の対応関係は、当該メーカが製造するＴＶリモコン４００の制御コードと制御内容の対応関係と一致している。すなわち、同図に示すメーカＡのテレビモード制御テーブルは、メーカＡが製造するＴＶリモコン４００の制御コードと制御内容の対応関係に一致している。
【００７１】
図３（ｂ）に、上記子機２００のメモリ２０９に記憶される赤外線信号制御テーブルの構成例を示す。図示の如く、赤外線信号制御テーブルは、テレビ製造メーカ毎に区分されたテーブル群として構成されている。そして、各テーブルには、制御コードと赤外線信号の対応関係が規定されている。ここで、各テーブルにおける制御コードと赤外線信号の対応関係は、当該メーカが製造するＴＶリモコン４００の制御コードと赤外線信号の対応関係と一致している。すなわち、同図に示すメーカＡの赤外線信号制御テーブルは、メーカＡが製造するＴＶリモコン４００の制御コードと赤外線信号の対応関係に一致している。
【００７２】
図４に、上記子機２００のメモリ２０９に記憶される履歴情報の構成例を示す。
【００７３】
図示の如く、履歴情報は、一連の制御コードによって構成されている。ここで、最上段の制御コードは、ＴＶリモコン４００を介して設定された最新のテレビ設定時の制御コードであり、以下、下段に向かって、一つ前、二つ前、…におけるテレビ設定時の制御コードとなっている。ここで、制御コードは、ＴＶリモコン４００から発信された赤外線信号を赤外線受光素子２０４によって受信し、受信した赤外線信号に対応する制御コードを図３（ｂ）の赤外線信号制御テーブルから抽出することにより検出される。このとき参照する赤外線信号制御テーブルは、初期設定時に設定されたメーカ名の赤外線信号制御テーブルである（初期設定時の動作については後述する）。検出された制御コードは、時系列順に、メモリ２０９に更新記憶される。これにより、メモリ２０９に履歴情報が構成される。
【００７４】
次に、図５を参照して、テレビ電話モードの初期設定およびテレビ電話モード開始時の動作について説明する。
【００７５】
＜初期設定＞
テレビ電話モードの初期設定は、ユーザが、親機１００のデータ入力部１０９を介して、所定の情報を入力することによって行われる。
【００７６】
まず、ユーザは、親機１００のデータ入力部１０９から、テレビ３００の“製造メーカ名”、テレビ電話モード時に利用する“画面モード”、“チャンネル番号”を入力する。たとえば、テレビメーカ＝「メーカＡ」、画面モード＝「ビデオ画面」、チャンネル番号＝「４」と入力する。入力された情報は、親機１００のメモリ１０７に記憶される。
【００７７】
なお、“画面モード”と“チャンネル番号”は、親機１００の映像出力部１１３のテレビ３００に対する接続状態に応じて設定する必要がある。たとえば、上記のように、画面モード＝「ビデオ画面」、チャンネル番号＝「４」と設定する場合、親機１００の映像出力部１１３は、「ビデオ画面」の「チャンネル４」に映像信号を出力するよう、テレビ３００に接続されていなければならない。これにより、テレビ電話モード実行時に、後述の如く、通話先端末からの画像が、テレビ画面上に適正に表示されるようになる。
【００７８】
なお、初期設定時に入力された情報のうち、テレビメーカに関する情報は、当該初期設定の完了時に、子機２００に無線送信される。子機２００は、受信したメーカ名に関する情報を自己のメモリ２０９に記憶する。
【００７９】
＜テレビ電話モードの実行＞
このようにして初期設定がなされた後、テレビ電話モードが開始されると、テレビ３００の表示が、初期設定された画面に切り換えられる。たとえば、テレビメーカ＝「メーカＡ」、画面モード＝「ビデオ画面」、チャンネル番号＝「４」と初期設定した場合、テレビ３００の表示は、「ビデオ画面」の「チャンネル４」に切り替えられる。これにより、通話先機器から受信した映像が表示される。
【００８０】
ここで、テレビ画面の切り換えは、画面切り換え用の赤外線信号を子機２００からテレビ３００に発信することによって行われる。すなわち、テレビ電話モードが開始されると、親機１００は、メモリ１０７に記憶した上記初期設定時の入力情報を読み出し、これに応じたＴＶモード制御情報を、無線処理部１０１を介して、子機２００に送信する。たとえば、初期設定時にテレビメーカ＝「メーカＡ」、画面モード＝「ビデオ画面」、チャンネル番号＝「４」と設定した場合、親機１００は、メモリ１０７に記憶されている「メーカＡ」のテレビモード制御テーブルを参照し、画面モード＝「ビデオ画面」、チャンネル番号＝「４」に対応する制御コードと、「電源ＯＮ」の制御コードを、当該テレビモード制御テーブルから抽出する。この例の場合、対応する制御コードは、「１」，「４」，「２９」である（図５（ａ）参照）。そして、抽出した制御コードをＴＶモード制御情報として、無線処理部１０２を介して子機２００に送信する。
【００８１】
子機２００は、親機１００からＴＶモード制御情報を受信すると、初期設定時に記憶したメーカ名をメモリ２０９から読み出し、さらに、当該メーカ名に対応する赤外線信号制御テーブルを自己のメモリ２０９から抽出する。そして、ＴＶモード制御情報中の制御コードに対応する赤外線信号を赤外線発信素子２０３から発信する。たとえば、受信したＴＶモード制御情報が、上記のように、「電源ＯＮ」、画面モード＝「ビデオ画面」、チャンネル番号＝「４」を示す制御コード１、４、２９である場合、子機２００は、「メーカＡ」の赤外線信号制御テーブルを参照し、この中の、制御コード１、４、２９に対応する赤外線信号を順次、赤外線発信素子２０３から発信する。これにより、テレビ３００は、上記のとおり、「ビデオ画面」の「チャンネル４」に切り替えられる。
【００８２】
テレビ電話モードが終了すると、親機１００は、その旨を通知するＴＶモード制御情報を子機２００に送信する。これを受けて、子機２００は、自己のメモリ２０９に記憶された履歴情報を参照し、テレビ電話モード開始直前のテレビ設定状態に応じた赤外線信号を発信する。
【００８３】
たとえば、図４（ａ）に示す履歴情報の場合、制御コード＝２（電源ＯＦＦ）に対応する赤外線信号を発信する。ここで、制御コード＝２（電源ＯＦＦ）に対応する赤外線信号は、図５（ｂ）に示す赤外線信号制御テーブルを参照することにより決定される。つまり、初期設定時に「メーカＡ」と設定されている場合には、子機２００は、メーカＡの赤外線信号制御テーブルを参照し、制御コード＝２（電源ＯＦＦ）に対応する赤外線信号として、「信号２」の赤外線信号を発信する。これにより、テレビ３００はＯＦＦとされる。
【００８４】
また、図４（ｂ）に示す履歴情報の場合、制御コード＝３（通常放送画面）、制御コード＝６（ＣＨ２）に対応する赤外線信号を発信する。ここで、制御コード＝３（通常放送画面）、制御コード＝６（ＣＨ２）に対応する赤外線信号は、上記と同様、図５（ｂ）に示す赤外線信号制御テーブルを参照することにより決定される。これにより、テレビ画面は「通常放送画面」の「チャンネル２」に切り換えられる。
【００８５】
次に、図６を参照して、本実施例における通話時の動作について説明する。
【００８６】
＜音声通話を行う場合＞
発信者Ａが通話先の着信者Ｂに音声通話を行う場合、発信者Ａは、子機２００のメモリ２０９に記憶されている電話番号帳等を利用して、データ入力部２１２から着信者Ｂの電話番号を選択する（Ｓ１００）。しかる後、発呼ボタンを押すと、デフォルトでは音声通話モードが選択され（Ｓ１０２：Ｎ）、電話番号と音声通話モードを示すモード識別情報が、子機２００から親機１００に送信される。これにより、音声通話用の呼制御が行われる（Ｓ１１６）。
【００８７】
このようにして呼制御がなされると、着信者Ｂの端末から、「音声通話による接続要求」を着信した旨の通知がなされる（Ｓ１２６：Ｎ）。かかる通知は、たとえば、呼び出しメロディの変更、音声案内、ボタンの点滅等によってなされる。これを受けて、着信者Ｂがオフフック等によって着呼応答を行うと（Ｓ１３４）、この着呼応答が発信者Ａの親機１００に送信される。これを受けて、親機１００は、接続完了を示す着呼応答を子機２００に転送する（Ｓ１２０：Ｙ）。これにより、発信者Ａと着信者Ｂの端末間の呼接続が完了し、音声通話が開始される（Ｓ１２２）。
【００８８】
なお、上記Ｓ１１６における呼制御の後、一定時間が経過するまでに（Ｓ１１８）、着信者Ｂ側の端末から着呼応答がない場合（Ｓ１２０：Ｎ）には、タイムアウトとして通話処理が終了される。
【００８９】
通話が終了して、たとえば、着信者Ｂが受話器をオンフック（切断）すると、Ｂ所有の端末からＡ所有の親機１００に対し切断通知（呼制御）が送信される。これを受けて、親機１００は、切断通知を子機２００に転送すると共に、回線を切断する。これにより、通信が切断される。
【００９０】
上記音声通話を行うときのシーケンスを図７に示す。図示の如く、音声通話のときには子機２００と親機１００の間、および、親機１００と通話先端末（電話機）との間で呼制御データおよび音声データが授受され、通話処理がなされる。
【００９１】
＜テレビ電話を行う場合＞
発信者Ａが着信者Ｂにテレビ電話を行う場合には（図６を参照）、上記音声通話の場合と同様、まず、発信者Ａは、子機２００のメモリ２０９に記憶されている電話番号帳等を利用して、データ入力部２１２から着信者Ｂの電話番号を選択する（Ｓ１００）。さらに、たとえば、テレビ電話モードを指定する専用のキー（ボタン）を操作し、あるいは、データ入力部２１２からテレビ電話モードの識別情報を入力する等の方法により、テレビ電話モードを指定する。
【００９２】
しかる後、発呼ボタンを押すと、電話番号とテレビ電話モードを示すモード識別情報が、子機２００から親機１００に送信される（Ｓ１０２：Ｙ）。これにより、テレビ電話用の呼制御が行われる（Ｓ１０４）。
【００９３】
このようにして呼制御がなされると、着信者Ｂの端末から、「テレビ電話による接続要求」を着信した旨の通知がなされる（Ｓ１２６、Ｓ１２８）。かかる通知は、たとえば、呼び出しメロディの変更、音声案内、ボタンの点滅等によってなされる。これを受けて、着信者Ｂがオフフック等によって着呼応答を行うと（Ｓ１３０）、この着呼応答が発信者Ａの親機１００に送信される（Ｓ１３６）。
【００９４】
なお、着信者Ｂはテレビ電話を拒否することもできる（Ｓ１３０：Ｎ）。これについては、後述する。
【００９５】
Ｓ１３６にて着呼応答が送信されると、発信者Ａの親機１００は、接続完了を示す着呼応答を子機２００に転送する。これにより、発信者Ａと着信者Ｂの端末間の呼接続が完了する（Ｓ１０８：Ｙ）。
【００９６】
さらに親機１００は、テレビ３００をテレビ電話モードに切り換えるための上記ＴＶモード制御情報を子機２００に送信する。これを受けて、子機２００は、テレビ３００をテレビ電話モードに切り換えるための赤外線信号を発信する。これにより、テレビ３００の表示画面が、初期設定されたチャンネル画面に切り換えられる（Ｓ１１０）。
【００９７】
なお、通話先から映像信号を受信するまでの間、親機１００からテレビ３００に対し、単一色背景に「ＴＶ電話画面です」との文字を組み込んだ映像信号を送信するようにしてもよい。これにより、ユーザにテレビ電話モードに切り替わったことを通知することができる。通知用の画面情報は、親機１００のメモリ１０７にあらかじめ記憶しておく。
【００９８】
以上の処理により、発信者Ａと着信者Ｂの端末間の呼接続が完了し、且つ、テレビ３００の表示画面が切り換えられ、テレビ通話が開始される（Ｓ１１２）。
【００９９】
なお、上記Ｓ１０４における呼制御の後、一定時間が経過するまでに（Ｓ１０６）、着信者Ｂ側の端末から着呼応答がない場合（Ｓ１０８：Ｎ）には、タイムアウトとして通話処理が終了される。
【０１００】
通話が終了して、たとえば、発信者Ａが受話器をオンフック（切断）すると、発信者Ａ所有の親機１００から着信者Ｂ所有の端末に対し切断通知（呼制御）が送信される。これにより、通信が切断される。同時に、親機１００から子機２００に対し、テレビ電話モードの終了を通知するＴＶモード制御情報を子機２００に送信する。これを受けて、子機２００は、上記の如く、自己のメモリ２０９に記憶された履歴情報を参照し、テレビ電話モード開始直前のテレビ設定状態を検知する。そして、これに応じた赤外線信号を発信する。これにより、テレビ３００の表示画面が、テレビ電話モード開始直線の状態に戻される。
【０１０１】
上記テレビ電話を行うときのシーケンスを図８、図９に示す。図８は、発信者側に本実施例のテレビ電話システムを用いたときのシーケンス、図９は、着信者側に本実施例のテレビ電話システムを用いたときのシーケンスである。なお、着信側においても、上記と同様、発信者側から映像信号を受信するまでの間、親機１００からテレビ３００に対し、単一色背景に「ＴＶ電話画面です」との文字を組み込んだ映像信号を送信するようにしてもよい。これにより、ユーザにテレビ電話モードに切り替わったことを通知することができる。
【０１０２】
図示の如く、テレビ電話モードの開始時には、親機１００から子機２００にＴＶモード制御情報が送信され、テレビ３００の表示画面が自動的にテレビ電話用の画面に切り換えられる。また、テレビ電話終了時には、親機１００から子機２００にＴＶモード制御情報（終了通知）が送信され、テレビ３００の表示画面が自動的にテレビ電話直前の元の表示画面に戻される。
【０１０３】
このように、本実施例によれば、オフフックの際にテレビ電話モードを指定するのみで、テレビ画面をテレビ電話用の画面に切り換えることができ、また、テレビ電話の終了時には、オンフックするだけで、テレビ画面を元の画面に戻すことができる。よって、ユーザに煩雑な作業を要求することなく、円滑且つ簡便に、テレビ電話を行うことができる。
【０１０４】
＜テレビ電話を拒否する場合＞
発信者Ａからのテレビ電話要求を拒否する場合（図６参照）、着信者Ｂは、Ｓ１２８でテレビ電話の要求通知を受けたときに、子機２００のデータ入力部２１２を操作して（たとえば、ＴＶ電話拒否のための専用キーを押す、あるいは、映像ＯＦＦボタンを押す、等）、テレビ電話拒否の入力を行う。これにより、親機１００は、テレビ電話拒否の通知を発信者側の親機１００に送信する（Ｓ１３２）。
【０１０５】
発信者Ａの親機１００は、かかる通知に応じて（Ｓ１０６、Ｓ１１４）、動作モードを音声通話モードに切り換える。そして、着信者Ｂの親機１００に対し、音声通話用の呼制御を行う（Ｓ１１６）。音声通話用の呼制御における処理は上記音声通話時の処理と同じである。これにより、音声通話による呼接続が確立され、音声通話が開始される。
【０１０６】
かかる場合の処理シーケンスを図１０に示す。
【０１０７】
図示の如く、テレビ電話が拒否された場合は、子機２００から、音声通話用の呼制御要求が発信される。そして、音声通話による呼接続が確立されると、音声のみによる通話が開始される。このとき、親機１００のコーデック処理部１０４におけるコーデック処理は、テレビ電話用のコーデック方式（映像＆音声）から音声通話用のコーデック方式（音声のみ）に変更される。これにより、音声通話用のコーデック方式に従う通話が行われる。
【０１０８】
＜テレビ電話を拒否する場合の変更例＞
なお、コーデック方式を変更することなくテレビ電話を拒否するような形態をとることも可能である。すなわち、テレビ電話による呼接続を確立した上で、テレビ電話のコーデック方式に従って、音声データのみを送受信する（映像データは送受信しない）ようにすることもできる。
【０１０９】
図１１に、かかる場合の処理シーケンスを示す。
【０１１０】
発信者Ａ側の親機１００からテレビ電話用の呼制御データが送信されると、上記と同様、着信者Ｂ側の子機２００から、「テレビ電話による接続要求」を着信した旨の通知（メロディ音、等）がなされる。これに対し、着信者Ｂが子機２００にテレビ電話拒否の入力を行うと、着信者Ｂの親機１００は、「テレビ電話拒否通知」と「着信応答」を含む呼制御データを発信者Ａの親機１００に送信する。このとき、同時に、着信者Ｂの親機１００は、メイン処理部１０６による制御によって、自己の映像入力部１１２および映像出力部１１３をともにＯＦＦ状態に設定する。
【０１１１】
一方、着信者Ｂ側の親機１００から「着信応答」と「テレビ電話拒否通知」を受信した発信者Ａ側の親機１００は、受信した「着信応答」と「テレビ電話拒否通知」を子機２００に転送する。この転送により、発信者Ａ側の子機２００が「着信応答」を受信すると、発信者―着信者間に、テレビ電話用の呼制御による呼接続（テレビ電話のコーデック方式）が確立される。さらに、子機２００が「テレビ電話拒否通知」を受信すると、子機２００は、メロディ、音声案内、ボタンの点滅等によって、テレビ電話が拒否された旨の通知を発する。発信者Ａは、かかる通知によって、テレビ電話が拒否されたことを知ることができる。
【０１１２】
なお、発信者Ａの親機１００は、上記の如く「着信応答」と「テレビ電話拒否通知」を子機２００に転送すると同時に、着信者Ｂ側の親機２００と同様、映像入力部１１２および映像出力部１１３をＯＦＦ状態に設定する。
【０１１３】
しかして、テレビ電話用の呼接続が確立されると、その後、テレビ電話のコーデック方式に従って、通信データの授受がなされる。しかしこのとき、発信者側―着信者側の親機１００は、ともに映像入力部１１２がＯＦＦ状態に設定されているため、かかる通信データには映像データは含まれない。発信者―着信者間では、音声データのみが授受され、音声のみによる通話が行われる。
【０１１４】
＜音声通話からテレビ電話への移行＞
次に、音声通話からテレビ電話に移行する際の処理シーケンスについて、図１２ないし図１４を参照して説明する。
【０１１５】
図１２および図１３は、たとえば上記図１１に示す処理シーケンスによってテレビ電話による音声通話を行っている場合に、音声通話からテレビ電話に移行するときの処理シーケンスを示すものである。なお、図１２は発信者側の処理を詳細に示す図、図１３は着信者側の処理を詳細に示す図である。
【０１１６】
図において、「音声のみによる通信」までの処理は、上記図１１の処理シーケンスと同じである。ここでは、テレビ電話によるコーデック方式に従って音声データのみが授受され、音声のみによる通話がなされている。
【０１１７】
しかる後、テレビ電話を開始するために、着信者Ｂが、子機２００のデータ入力部２１２からテレビ電話の承諾を入力（たとえば、テレビ電話を承諾するための専用キーや、映像ＯＮボタンを押す）すると、着信者Ｂの親機１００から発信者Ａの親機１００に対して、テレビ電話承諾通知が送信される。このとき、着信者Ｂの親機１００は、メイン処理部１０６による制御によって、自己の映像入力部１１２および映像出力部１１３をＯＮ状態に復帰させる。これにより、着信者Ｂのカメラ５００で撮影した映像データが通信データに含められるようになる。
【０１１８】
このとき同時に、着信者Ｂの親機１００は、子機２００に対して、テレビモード制御情報を送信する。これを受けて子機２００は、テレビ３００をテレビ電話用の表示画面に切り換えるための赤外線信号を発する。これにより、着信者Ｂのテレビ３００は、テレビ電話用の表示画面に切り換えられ、テレビ電話の待ち受け状態に設定される。
【０１１９】
一方、着信者Ｂの親機１００からテレビ電話承諾通知を受信した発信者Ａの親機１００は、テレビ電話承諾通知とテレビモード制御情報を子機２００に転送する。これを受けて子機２００は、テレビ３００をテレビ電話用の表示画面に切り換えるための赤外線信号を発する。これにより、発信者Ａのテレビ３００は、テレビ電話用の表示画面に切り換えられ、テレビ電話の待ち受け状態に設定される。
【０１２０】
このとき同時に、発信者Ａの親機１００は、メイン処理部１０６による制御によって、自己の映像入力部１１２および映像出力部１１３をＯＮ状態に復帰させる。これにより、発信者Ａのカメラ５００で撮影した映像データが通信データに含められるようになる。
【０１２１】
しかして、発信者側―着信者側の親機１００の映像入力部１１２がともにＯＮ状態に復帰されることにより、発信者―着信者間で授受される通信データに映像データが含まれるようになる。また、発信者側―着信者側の親機１００の映像出力部１１３がともにＯＮ状態に復帰され、且つ、双方のテレビ３００の表示画像がテレビ電話モードに切り換えられることにより、通話先からの映像が自己のテレビに表示されるようになる。これにより、映像と音声による通話が行われる。
【０１２２】
次に、たとえば上記図１０に示す処理シーケンスによって音声通話（音声通話による呼接続が確立）を行っている場合に、音声通話からテレビ電話に移行するときの処理シーケンスを、図１４を参照して説明する。
【０１２３】
図において、「音声のみによる通信」までの処理は、上記図１０の処理シーケンスと同じである。ここでは、音声通話によるコーデック方式に従って音声データのみが授受され、音声のみによる通話がなされている。
【０１２４】
しかる後、テレビ電話を開始するために、着信者Ｂが、子機２００のデータ入力部２１２からテレビ電話の承諾を入力（たとえば、テレビ電話を承諾するための専用キーや、映像ＯＮボタンを押す）すると、着信者Ｂの親機１００から発信者Ａの親機１００に対して、テレビ電話承諾通知が送信される。このとき、着信者Ｂの親機１００は、メイン処理部１０６による制御によって、自己の映像入力部１１２および映像出力部１１３をＯＮ状態に設定し、且つ、コーデック処理部１０４をテレビ電話によるコーデック方式に切り換える。これにより、着信者Ｂのカメラ５００で撮影した映像データを含む通信データが出力されるようになる。
【０１２５】
一方、着信者Ｂの親機１００からテレビ電話承諾通知を受信した発信者Ａの親機１００は、テレビ電話承諾通知を子機２００に転送する。これを受けて子機２００は、メロディ音や音声通知等によって、テレビ電話承諾通知を発信者Ａに通知する。その後、発信者Ａは、子機２００のデータ入力部２１２を操作してテレビ電話開始の確認を行うと、テレビ電話による発呼要求が、子機２００から親機１００に送信される。このとき、発信者Ａの親機１００は、メイン処理部１０６による制御によって、自己の映像入力部１１２および映像出力部１１３をＯＮ状態に設定し、且つ、コーデック処理部１０４をテレビ電話によるコーデック方式に切り換える。
【０１２６】
以後の処理は、上記図８および図９と同様である。すわわち、テレビ電話による呼接続が確立されるとともに、双方のテレビ３００の表示画像がテレビ電話モードに切り換えられる、そして、テレビ電話のコーデック方式に従って通信データが授受される。しかして、通話先からの映像が自己のテレビに表示されるようになり、映像と音声による通話が行われる。
【０１２７】
＜遠隔制御＞
次に、着信者側のテレビ画面を、発信者側からの制御によって、テレビ電話モードに自動設定する場合の処理シーケンスについて、図１５を参照して説明する。
【０１２８】
図において、発呼から着信までの処理は、上記図８および図９と同様である。図１５のシーケンスでは、テレビ電話モードによる呼接続の際に、着信者Ｂ側で用いられるＴＶモード制御情報が、発信者Ａの親機１００から着信者Ｂの親機１００に対して送信される。
【０１２９】
たとえば、発信者Ａの親機１００から送信される呼制御データ中に、着信者Ａ側で利用するテレビ３００の“製造メーカ名”と、テレビ電話時に用いる“画面モード”、“チャンネル番号”および“電源ＯＮ”の制御コードを組み込んでおく。着信者Ｂ側の親機１００は、呼制御データ中からこれらのデータを抽出する。そして、自己の子機２００に、製造メーカ名と、“画面モード”、“チャンネル番号”および“電源ＯＮ”の制御コードからなるＴＶモード制御情報を送信する。これにより、着信者Ｂの子機２００は、上記と同様にして、赤外線信号を発信することができるようになる。しかして、着信者Ｂのテレビ３００が、テレビ電話モードに設定され、映像と音声による通話が可能となる。
【０１３０】
なお、かかる遠隔制御においては、発信者Ａが、着信者Ｂのテレビ３００の製造メーカ名や、当該テレビ３００と親機１００の接続状態をあらかじめ知っておく必要がある。また、親機１００には、これまでに示した機能の他、着信者側において利用されるＴＶモード制御情報を設定・入力するための機能と、呼制御データにＴＶモード制御情報が含まれている場合に、これを抽出し、自己の子機にＴＶモード制御情報として送信するための機能が、別途、必要となる。
【０１３１】
かかる遠隔制御は、機器設定に不慣れな人にとっても、本テレビ電話システムを使い勝手の良いものとできるとの効果を奏し得るものである。
【０１３２】
なお、発信者Ａによって適正に遠隔制御がなされた後は、別途の操作によって取り消されない限り、“製造メーカ名”、“画面モード”、“チャンネル番号”が保持されるようにするとよい。こうすれば、その後、如何なる者からテレビ電話の接続要求があったとしても、円滑に、テレビ電話による通話が実行される。
【実施例２】
【０１３３】
上記実施例１では、ＴＶリモコン４００から発信される赤外線信号を子機２００によって受信し、テレビ３００の設定履歴を子機２００において記憶するものであったが、本実施例は、ＴＶリモコン４００から発信される赤外線信号を親機１００によって受信し、テレビ３００の設定履歴を親機１００において記憶するものである。
【０１３４】
図１６に、本実施例におけるテレビ電話システムの構成を示し、図１７に、親機１００と子機２００の構成を示す。
【０１３５】
図１７に示す如く、本実施例における子機２００は、上記図２に示す子機２００の赤外線受信素子２０３が省略されている。また、本実施例における親機１００は、上記図２に示す親機１００に比べ、選択処理部１２１と、赤外線処理部１２２と、赤外線受光素子１２３が追加されている。
【０１３６】
ここで、テレビ３００の表示画面を切り換えるための赤外線信号は、上記実施例１と同様、子機２００の赤外線発信素子２０３から発信される。テレビ３００の表示画面をテレビ電話モードに設定する際の、赤外線信号の発信処理は、上記実施例１と同様である。
【０１３７】
これに対し、テレビ３００の表示画面をテレビ電話モードからテレビ電話開始直前の状態に戻す際の、赤外線信号の発信処理は、上記実施例１とは相違している。すなわち、テレビ表示を戻す場合、テレビ電話直前のテレビの設定状態を親機１００が検出し、テレビ電話開始直前の「画面モード」と「チャンネル」の制御コードを、親機１００から子機２００に、無線により送信する。子機２００は、受信した制御コードに対応する赤外線信号を、赤外線信号制御テーブルから抽出し、これをテレビ３００に送信する。これにより、テレビ３００の表示画面がテレビ電話開始直前の状態に戻される。
【０１３８】
なお、親機１００のメモリ１０７に記憶されているＴＶモード制御テーブルは、図３（ａ）に示すＴＶモード制御テーブルに、さらに、赤外線信号を対応付けたものとなっている（図１８参照）。親機１００は、ＴＶリモコン４００からの赤外線信号を赤外線受光素子１２３で受信し、これを赤外線処理部１２２で処理し、赤外線信号を取得する。そして、ＴＶモード制御テーブルを参照し、取得した赤外線信号に対応する制御コードを検出する。そして、これを、履歴情報（図４）として、メモリ１０７に記憶する。
【０１３９】
テレビ電話の終了時、親機１００は、かかる履歴情報を参照し、テレビ電話開始直前のテレビ設定状態に対応した制御コードを検出する。そして、これを、無線により、子機２００に送信する。
【０１４０】
かかる制御コードを受けて、子機２００は、上記のとおり、赤外線信号を発信する。これにより、テレビ３００の表示画面がテレビ電話開始直前の状態に戻される。
【０１４１】
なお、図１７では、子機２００から赤外線信号を発するようにしたが、親機１００に赤外線発信素子を配し、親機１００から赤外線信号を発するようにしても良い。上記のように、親機１００のメモリ１０７に記憶されているＴＶモード制御テーブルが図１８に示すものとなっていれば、かかるテーブルを参照することで、テレビ電話モード開始時の赤外線信号（初期設定された制御コード）と、テレビ電話モード終了時の赤外線信号（履歴情報から抽出した制御コード）を、親機１００の赤外線発信素子から発信することができる。
【０１４２】
図１９に、かかる場合における処理シーケンスを示す。図示の如く、テレビ電話開始時と終了時に、親機１００からテレビ３００に対して、直接、ＴＶモード制御情報（赤外線信号）が発信され、テレビ画面が切り換えられる。
【０１４３】
このように、本実施例では、上記実施例１に比べ、処理シーケンスを簡素化することができる。ただし、ＴＶリモコン４００からの赤外線信号を親機１００にて受信できなければならないことから、親機１００をテレビ３００の近傍に配置する必要がある。
【実施例３】
【０１４４】
上記実施例１、２では、テレビ電話モード時の表示画面を親機１００に初期設定するものであったが、テレビ電話モード時の表示画面の初期設定を子機２００にて行うようにすることもできる。ここで、子機２００に対する初期設定は、子機２００のデータ入力部２１２を用いて直接入力する方法の他、親機１００のデータ入力部１０９から入力し、これを子機２００に無線で送信して、子機２００に設定する方法とすることもできる。
【０１４５】
たとえば、親機１００を介して初期設定する場合、親機１００のデータ入力部１０９から、テレビ３００の“製造メーカ名”、テレビ電話モード時に利用する“画面モード”、“チャンネル番号”を入力する。たとえば、テレビメーカ＝「メーカＡ」、画面モード＝「ビデオ画面」、チャンネル番号＝「４」と入力する。入力された情報は、親機１００の無線処理部１０２から子機２００の無線処理部２０２に送信され、子機２００のメモリ２０９に記憶される。
【０１４６】
なお、子機２００のメモリ２０９には、上記図１８に示すＴＶモード制御テーブルが記憶されている。その他の構成は、メイン処理部１０７とメイン処理部２０８の機能を除き、上記実施例１または２と同じである。
【０１４７】
図２０および図２１に、かかる場合の処理シーケンスを示す。なお、図２０は発信者側の処理を詳細に示す図、図２１は着信者側の処理を詳細に示す図である。
【０１４８】
本実施例の場合、図２０に示すように、テレビ電話の呼制御時に、通信先端末から発信者側へ着呼応答があったとき、上記図８のシーケンスのように着呼応答とＴＶモード制御が親機１００から子機２００に転送されず、着呼応答のみが、親機１００から子機２００に転送される。
【０１４９】
かかる着呼応答を受けて子機２００は、自己のメモリ２０９に記憶されている上記初期設定情報（製造メーカ名、画面モード、チャンネル番号）を抽出し、これに応じた赤外線信号を、ＴＶモード制御テーブル（図１８）をもとに発信する。たとえば、初期設定情報が、テレビメーカ＝「メーカＡ」、画面モード＝「ビデオ画面」、チャンネル番号＝「４」の場合、メーカＡのＴＶモード制御テーブルを参照し、「電源ＯＮ」の赤外線信号（信号１）と、画面モード＝「ビデオ画面」およびチャンネル番号＝「４」の赤外線信号（信号４、信号２９）を発信する。
【０１５０】
なお、その他の処理シーケンスは、上記図８と同じである。
【０１５１】
また、図２１に示すように、テレビ電話の呼制御時に、着信者側の子機２００が親機１００に着呼応答を送信したとき、親機１００から子機２００にＴＶモード制御情報は転送されず、子機２００自らがＴＶモード制御情報（赤外線信号）を生成して、これをテレビ３００に発信する。すなわち、子機２００は、自己のメモリ２０９に記憶されている上記初期設定情報（製造メーカ名、画面モード、チャンネル番号）を抽出し、これに応じた赤外線信号を、ＴＶモード制御テーブル（図１８）をもとに発信する。
【０１５２】
なお、その他の処理シーケンスは、上記図９と同じである。
【０１５３】
このように、本実施例では、上記実施例１に比べ、処理シーケンスを簡素化することができる。
【０１５４】
以上、本発明の実施の形態について説明したが、本発明は上記実施の形態に限定されるものでないことは言うまでもない。
【０１５５】
たとえば上記実施の形態では、履歴情報として制御コードを記憶するようにしたが、赤外線信号を記憶するようにしてもよい。また、カメラ５００の配置等は、図１または図１６に限るものではない。さらに、図２および図１７は、親機と子機の構成を機能ブロックとして示したものであり、ソフトウエアあるいはハードウエアの組み合わせにより同様の機能が実現できるものであればよい。
【０１５６】
本発明の実施の形態は、特許請求の範囲に示された技術的思想の範囲内において、適宜、種々の変更が可能である。
【図面の簡単な説明】
【０１５７】
【図１】実施の形態に係るテレビ電話システムの構成を示す図
【図２】実施例１に係る親機と子機の構成を示す図
【図３】実施例１に係るテレビモード制御テーブルと赤外線信号制御テーブルの構造を示す図
【図４】実施例１に係る履歴情報の構造を示す図
【図５】実施例１におけるテレビ画面の切り換え動作を説明する図
【図６】実施例１における通話制御の処理フローチャート
【図７】実施例１における通話制御の処理シーケンスを示す図
【図８】実施例１における通話制御の処理シーケンスを示す図
【図９】実施例１における通話制御の処理シーケンスを示す図
【図１０】実施例１における通話制御の処理シーケンスを示す図
【図１１】実施例１における通話制御の処理シーケンスを示す図
【図１２】実施例１における通話制御の処理シーケンスを示す図
【図１３】実施例１における通話制御の処理シーケンスを示す図
【図１４】実施例１における通話制御の処理シーケンスを示す図
【図１５】実施例１における通話制御の処理シーケンスを示す図
【図１６】実施例２に係るテレビ電話システムの構成を示す図
【図１７】実施例２に係る親機および子機の構成を示す図
【図１８】実施例２におけるテレビモード制御テーブルの構造を示す図
【図１９】実施例２における通話制御の処理シーケンスを示す図
【図２０】実施例３における通話制御の処理シーケンスを示す図
【図２１】実施例３における通話制御の処理シーケンスを示す図
【符号の説明】
【０１５８】
１００  親機
１０１  アンテナ
１０２  無線処理部
１０４  コーデック処理部
１０６  メイン処理部
１０７  メモリ
１０８  通信制御部
１０９  データ入力部
１２２  赤外線処理部
１２３  赤外線受光素子
２００  子機
２０１  アンテナ
２０２  無線処理部
２０３  赤外線発信素子
２０４  赤外線受光素子
２０５  赤外線処理部
２０８  メイン処理部
２０９  メモリ
２１２  データ入力部
３００  テレビ
４００  ＴＶリモコン
５００  カメラ
【図１】
2005175552.tif 000003
【図２】
2005175552.tif 000004
【図３】
2005175552.tif 000005
【図４】
2005175552.tif 000006
【図５】
2005175552.tif 000007
【図６】
2005175552.tif 000008
【図７】
2005175552.tif 000009
【図８】
2005175552.tif 000010
【図９】
2005175552.tif 000011
【図１０】
2005175552.tif 000012
【図１１】
2005175552.tif 000013
【図１２】
2005175552.tif 000014
【図１３】
2005175552.tif 000015
【図１４】
2005175552.tif 000016
【図１５】
2005175552.tif 000017
【図１６】
2005175552.tif 000018
【図１７】
2005175552.tif 000019
【図１８】
2005175552.tif 000020
【図１９】
2005175552.tif 000021
【図２０】
2005175552.tif 000022
【図２１】
2005175552.tif 000023